(57)【要約】【課題】WPCを搭載した通信機器において、通信パラメータの設定を容易にする。【解決手段】無線給電方式による送電部と無線通信方式による通信部を備えた送電装置は、送電部を介して対向する受電装置に対して無線給電方式による給電を行い、送電部を介して受電装置からの所定のメッセージが検出された場合、通信部を用いて受電装置との無線通信を起動する。【選択図】図４
2015008607.tif 000002
【特許請求の範囲】
【請求項１】
無線給電方式による送電部と無線通信方式による通信部を備えた送電装置であって、
前記送電部を介して対向する受電装置に対して前記無線給電方式による給電を行う給電手段と、
前記送電部を介して前記受電装置からの所定のメッセージが検出された場合、前記通信部を用いて前記受電装置との無線通信を起動する通信手段とを備えることを特徴とする送電装置。
【請求項２】
前記給電手段は、前記送電部を介して前記受電装置から識別情報を含む情報を受信し、前記受電装置に通信パラメータが設定されているか否かを前記識別情報に基づいて決定することを特徴とする請求項１に記載の送電装置。
【請求項３】
前記給電手段によって前記受電装置に前記通信パラメータが設定されていないと決定された場合、前記通信手段は通信パラメータの設定を含む第１の通信処理を行うことを特徴とする請求項２に記載の受電装置。
【請求項４】
前記給電手段によって前記受電装置に前記通信パラメータが設定されていると決定された場合、前記通信手段は設定済みとなっている通信パラメータを用いて第２の通信処理を行うことを特徴とする請求項２または３に記載の受電装置。
【請求項５】
前記所定のメッセージは、前記受電装置が給電状態であることを示すメッセージであることを特徴とする請求項１乃至４の何れか１項に記載の送電装置。
【請求項６】
前記所定のメッセージは、前記受電装置が給電状態であることを示すメッセージと前記第１の通信処理または前記第２の通信処理を要請することを示すメッセージであることを特徴とする請求項３または４に記載の送電装置。
【請求項７】
前記所定のメッセージは、前記給電が完了したことを示すメッセージであることを特徴とする請求項１乃至４の何れか１項に記載の送電装置。
【請求項８】
前記通信手段は、前記無線通信を起動中に前記受電装置から受信した識別情報に基づいて、前記通信部によって行われている通信処理を切断するか継続するかを決定することを特徴とする請求項１乃至７の何れか１項に記載の送電装置。
【請求項９】
前記無線給電方式は、WPC（Wireless Power Consortium）に準拠した方式であることを特徴とする請求項１乃至８何れか１項に記載の送電装置。
【請求項１０】
無線給電方式による受電部と無線通信方式による通信部を備えた受電装置であって、
前記受電部を介して対向する送電装置との間で行われる前記無線給電方式による受電を行う受電手段と、
前記受電部を介して所定のメッセージを送信したことに基づき前記通信部を用いて前記送電装置との無線通信を起動する通信手段とを備えることを特徴とする受電装置。
【請求項１１】
前記通信手段は、通信パラメータの設定を含む第１の通信処理と設定済みの前記通信パラメータを用いる第２の通信処理の何れかを行うことを特徴とする請求項１０に記載の受電装置。
【請求項１２】
前記通信手段は、前記送電装置から受信した識別情報に基づいて、前記第１の通信処理または前記第２の通信処理の何れかを行うかを決定することを特徴とする請求項１１に記載の受電装置。
【請求項１３】
前記無線給電方式は、WPC（Wireless Power Consortium）に準拠した方式であることを特徴とする請求項１０乃至１２何れか１項に記載の受電装置。
【請求項１４】
無線給電方式による送電部と無線通信方式による通信部を備えた送電装置の制御方法であって、
前記送電部を介して対向する受電装置に対して前記無線給電方式による給電を行う給電工程と、
前記送電部を介して前記受電装置からの所定のメッセージが検出された場合、前記通信部を用いて前記受電装置との無線通信を起動する通信工程とを有することを特徴とする送電装置の制御方法。
【請求項１５】
無線給電方式による受電部と無線通信方式による通信部を備えた受電装置の制御方法であって、
前記受電部を介して対向する送電装置との間で行われる前記無線給電方式による受電を行う受電工程と、
前記受電部を介して所定のメッセージを送信したことに基づき前記通信部を用いて前記送電装置との無線通信を起動する通信工程とを有することを特徴とする受電装置の制御方法。
【請求項１６】
請求項１４に記載された送電装置の制御方法の各工程をコンピュータに実行させるためのプログラム。
【請求項１７】
請求項１５に記載された受電装置の制御方法の各工程をコンピュータに実行させるためのプログラム。
【発明の詳細な説明】
【技術分野】
【０００１】
本発明は、通信装置とその制御方法、およびプログラムに関する。
【背景技術】
【０００２】
近年、非接触ICカードの利用が増加している。このICカードの規格は国内外において複数の方式が存在しており、国際的な通信互換性を提供することを目的とした標準化団体において近接無線通信技術に関する通信規格が策定されている。この規格は、NFC（Near  Field Communication）と称され、市場ではICカード以外にスマートフォンなどの携帯型機器にも搭載されている。このようなNFCを利用する技術として、機器間で容量の大きい動画像データを送受信する際に、機器同士のペアリングだけをNFCで行い実際のデータ通信にはより高速なBluetooth（登録商標）や無線LANを使用する技術が規格化されている（非特許文献１）。
【０００３】
一方、無線LANにおける通信パラメータを設定する方法として、双方の機器のボタンを押すWi-Fi PROTECTED SETUP（WPS）という技術がある。このWPSは、無線LAN機器の接続とセキュリティの設定を簡単に実行するための規格であり、Wi-Fi Allianceで標準化されている（非特許文献２）。また、無線LANにおける通信パラメータを設定する方法として、以下のような方法も提案されている。
【０００４】
特許文献１では、携帯通信装置をクレードル（充電装置）に置いた際に充電が開始されたタイミングで、MAC、SSID、暗号方式等の無線パラメータ情報をそのクレードルから無線通信端末に充電端子を介して送信する。これは、充電の初期設定開始をトリガに無線パラメータ情報をクレードルから充電端子を介して取得するものである。
【０００５】
また、特許文献２では、通信装置は、記憶している設定処理識別子と、取得した設定処理識別子に基づいて、記憶している通信パラメータを用いるか、他の通信装置から通信パラメータを受理するかを判断して使用するパラメータを設定する。これは、新しい通信パラメータと、記憶済の通信パラメータの使用選択を設定処理識別子で決定するものである。
【０００６】
また、特許文献３では、複数の管理装置が存在するネットワークにおいて、所望の管理装置に接続されるR/W装置にICカードを近接させることで、通信装置において所望の管理装置の通信パラメータ設定処理が起動する。これは、通信パラメータ情報を設定する管理装置の選択と開始のトリガをユーザーの操作で決定するものである。
【０００７】
ところで、市場では、Bluetooth（登録商標）や無線LANといった高速無線通信機能と、ケーブルを使わずに携帯型機器に充電可能な無線充電（ワイヤレス給電、非接触給電）機能を搭載する通信装置が製品されている。ワイヤレス給電ではWPC（Wireless Power Consortium）という規格団体により、無線給電に関するプロトコルが規格化されている（非特許文献３）。
【先行技術文献】
【特許文献】
【０００８】
【特許文献１】特開２０１２−０６０４６４号公報
【特許文献２】特開２００８−３０１２１４号公報
【特許文献３】特開２００８−１６０１７３号公報
【非特許文献】
【０００９】
【非特許文献１】NFC Forum Connection Handover 1.2 Technical Specification, http://www.nfc-forum.org/specs/spec_dashboard/
【非特許文献２】Wi-Fi Protected Setup Specification version 1.0h December 2006
【非特許文献３】ireless Power Consortium, http://www.wirelesspowerconsortium.com/jp/technology/
【発明の概要】
【発明が解決しようとする課題】
【００１０】
ワイヤレス給電（WPC）を搭載した通信機器では、NFCと異なり機器同士間で双方向通信が出来ないため従来のNFCのようなペアリングに必要な無線パラメータ等を容易に設定する事が出来ない。このため無線LANを使用する場合、ユーザーは予め無線LANで用いる無線パラメータを煩雑な操作で設定しなければならなかった。また、無線パラメータの簡単設定のためにNFCなどの無線LAN以外のアウトオブバンド(OOB)インターフェースのハードウェアを新たに追加する事は製品のコストアップになると言った様々な不都合があった。
【００１１】
本願発明は上述の問題に鑑み、WPCを搭載した通信機器において、通信パラメータの設定を容易にすることを目的とする。
【課題を解決するための手段】
【００１２】
本願発明は、上述の課題を解決するための一手段として、以下の構成を備える。すなわち、無線給電方式による送電部と無線通信方式による通信部を備えた送電装置であって、前記送電部を介して対向する受電装置に対して前記無線給電方式による給電を行う給電手段と、前記送電部を介して前記受電装置からの所定のメッセージが検出された場合、前記通信部を用いて前記受電装置との無線通信を起動する通信手段とを備えることを特徴とする。
【発明の効果】
【００１３】
本発明によれば、WPCを搭載した通信機器において、通信パラメータの設定を容易にすることが可能となる。
【図面の簡単な説明】
【００１４】
【図１】第１実施形態によるシステムのネットワーク構成図。
【図２】第１実施形態によるプリンタのハードウェア構成図。
【図３】第１実施形態によるカメラのハードウェア構成図。
【図４】第１実施形態による処理を示すシーケンスチャート。
【図５】第１実施形態におけるプリンタの動作を示すフローチャート。
【図６】第１実施形態におけるカメラの動作を示すフローチャート。
【図７】第１実施形態によるプリンタとカメラのソフトウェア構成図。
【図８】第２実施形態による処理を示すシーケンスチャート。
【図９】第２実施形態におけるプリンタの動作を示すフローチャート。
【図１０】第２実施形態におけるカメラの動作を示すフローチャート。
【図１１】第３実施形態による処理を示すシーケンスチャート。
【図１２】第３実施形態におけるプリンタの処理を示すフローチャート。
【図１３】第３実施形態におけるカメラの処理を示すフローチャート。
【図１４】第４実施形態による処理を示すシーケンスチャート。
【図１５】第４実施形態におけるプリンタの処理を示すフローチャート。
【図１６】第４実施形態におけるカメラの処理を示すフローチャート。
【図１７】第５実施形態による処理を示すシーケンスチャート。
【図１８】変形例１におけるプリンタの処理を示すフローチャート。
【図１９】変形例２におけるカメラの処理を示すフローチャート。
【図２０】実施形態におけるWPCデータフレームフォーマットの構成図。
【図２１】実施形態におけるWi-Fiデータフレームフォーマットの構成図。
【発明を実施するための形態】
【００１５】
［第１実施形態］
（システム構成）
図１は、本実施形態によるシステムのネットワーク構成図である。図１において、プリンタ１０１は、ワイヤレス給電（Wireless Power Consortium（WPC））の送電機能と無線LAN通信機能を備える。カメラ１０２は、プリンタ１０１と同様にワイヤレス給電（WPC）の受電機能と無線LAN通信機能を備える。無線給電システム１０３は、プリンタ１０１とカメラ１０２の間で非接触の無線給電を提供する。無線LAN通信１０４は、プリンタ１０１とカメラ１０２の間で無線LAN方式を用いて行われる通信である。
【００１６】
本実施形態においては、送電側であるプリンタ１０１から受電側であるカメラ１０２に対して非接触で無線給電を実施する。また、カメラ１０２が保持する画像データをプリンタ１０１で印刷するために、画像データは無線LAN通信１０４を用いてカメラ１０２からプリンタ１０１へ送信される。なお、本実施形態において、無線LAN通信１０４で用いられる通信方式はIEEE802.11に準拠した無線LAN通信方式であり、図１では無線LANの機器同士を直接接続するアドホックネットワークを用いたネットワーク構成を説明している。なお、プリンタ１０１とカメラ１０２との間で用いる通信方式は、無線LANではないBluetooth（登録商標）等の他の無線通信方式であってもよい。また、無線給電方式はWPCではない他の無電給電方式であってもよい。
【００１７】
（装置構成）
図２は、本実施形態によるプリンタ１０１のハードウェア構成図であり、図３は、本実施形態によるカメラ１０２のハードウェア構成図である。なお、本実施形態とは無関係な装置固有の機能部（例えば、プリンタ１０１の印刷機能、カメラ１０２の撮像機能）に関する構成については、一部省略している。
【００１８】
通信部２０２および３０２は、無線LANアンテナ２０１および３０１を介して無線信号の送受信を行う。ROM０３および３０３は、不揮発メモリ部であり、必要なプログラムを記憶する。RAM２０４および３０４は、揮発メモリ部であり、制御部２０５および３０５のワークメモリである。制御部２０５および３０５は、ROM２０３および３０３のそれぞれに記憶されているプログラムに基づき、後述する各機能構成や処理を各ハードウェアで制御する。印刷処理部２０６は、プリンタ１０１の印刷のための処理を行い、撮像処理部３０６は、カメラ１０２における撮像処理を行う。キー入力部２０７および３０７は、機器制御のための情報入力および操作等を行う。WPC通信部２０８は、WPCアンテナ２０９を介して無線給電を行う送電部を備え、WPC通信部３０８はWPCアンテナ３０９を介して電力を受電する受電部を備える。液晶表示部２１０および３１０は、エラーメッセージやユーザーへの操作を促す通知メッセージを表示する。
【００１９】
（装置のソフトウェア構成）
図７は、カメラ１０２とプリンタ１０１のソフトウェア構成を示す図である。本実施形態では、ソフトウェア構成は、カメラ１０２とプリンタ１０１間で直接通信するための無線リンクを備え、また、アプリケーションレイヤにおいては動画像データ等を送受信する機能を備える。本実施形態では、プリンタ１０１は、画像データの受信アプリケーションとAP（アクセスポイント）機能を備える。なお、アプリケーションレイヤのデータ送信機能とSTA制御部を実現するためのプログラムは、ROM２０３に格納されている。一方、カメラ１０２は、画像データの送信アプリケーションとSTA（ステーション）機能を備え、アプリケーションレイヤのデータ送信機能とSTA制御部を実現するためのプログラムは、ROM３０３に格納されている。
【００２０】
無線LAN制御部７０１および７１１は、IEEE802.11準拠（WLANプロトコル）のデータパケット等を取り扱う。TCP/IP処理部７０２および７１２は、TCP/IPの通信プロトコルによる処理を行う。STA制御部７０３は、TCP/IP処理部７０２で使用する通信リンクと通信アプリ部７０４で使用する送信データの整合を制御する。AP制御部７１３は、TCP/IP処理部７０２で使用する通信リンクと通信アプリ部７１４で使用する受信データの整合を制御する。通信アプリ部７０４は、動画像データの送信サービスの起動を行うデータ送信機能を備える。通信アプリ部７１４は、動画像データを受信するデータ受信機能を備える。WPC制御部７０５および７１５は、Qi（WPCプロトコル）に準拠したデータパケット等の送受信を行う。特にプリンタ１０１に実装されるWPC制御部７１５は、無線給電システム１０３における送電側の制御を行う。また、カメラ１０２に実装されるWPC制御部７０５は、無線給電システム１０３における受電側の制御を行う。
【００２１】
（WPCフレームフォーマット）
図２０は、本実施形態における無線給電システム１０３の受電側から送電側に送信（単方向通信）されるWPCデータのデータフレームフォーマット（２００１）を説明したメッセージ構成図である。図２０において、Message領域（２００２）は、受電側から送電側に送信される給電制御や機器識別のための各種情報が格納され、１〜２７バイトのデータ領域が確保される。
【００２２】
（Wi-Fiフレームフォーマット）
図２１は、本実施形態によるプリンタ１０１およびカメラ１０２間で送受信されるWi-Fiデータのマネージメントフレームフォーマット（２１０１）を説明するためのメッセージ構成図である。図２１において、フレームデータ（２１１１）は、ビーコン・フレーム（２１０２）、プローブ応答フレーム（２１０３）、およびプローブ要求フレーム（２１０４）を示す。また、ビーコン・フレーム（２１０２）のSSID（２１１２）は、ビーコン・フレーム２１０２に含まれるSSID情報要素フレーム（２１１０）を示したものであり、特に、グループ識別子に関する情報を設定するエリアである。SSID情報要素フレーム（２１１０）において、Element ID（２１１３）は、情報要素識別子を示し、Length（２１１４）は、最大３２バイトのSSID（２１１５）領域に設定されるSSIDデータの長さを示す。SSID（２１１６）は、プローブ応答フレーム（２１０３）に含まれるSSID情報要素フレーム（２１１０）を示したものである。また、SSID（２１１７）は、プローブ要求フレーム（２１０４）に含まれるSSID情報要素のフレーム（２１１０）を示したものである。
【００２３】
（システムおよび装置の動作）
以上の構成を有するプリンタ１０１、カメラ１０２の動作について図を参照して説明する。図４は本実施形態によるプリンタ１０１とカメラ１０２のメッセージの送受信処理を説明したシーケンスチャートである。なお、図４において、"Signal"（Ｍ４０１）は制御信号であり、"Signal Strength"（Ｍ４０２）は、受電した信号の強度を示すメッセージであり、"Identification&Configuration"（Ｍ４０３）は、受電側機器の識別情報および設定情報を含むメッセージである。以降の説明では、"Identification&Configuration"は省略して"Id&C"と称する。また、"Required Power"（Ｍ４０５）は、送電側に対して受電を希望する電力量を通知するメッセージである。
【００２４】
図５は、本実施形態によるプリンタ１０１の処理を示すフローチャートであり、図６は、本実施形態によるカメラ１０２の処理を示すフローチャートである。本実施形態ではプリンタ１０１とカメラ１０２間で無線給電システム１０３の制御処理により無線LAN通信に用いる通信パラメータ設定を起動した後、無線LAN通信を確立して画像データを送受信する処理を例にして説明を行う。
【００２５】
ユーザーが、カメラ１０２のキー入力部２０７を操作して印刷を希望する画像データを液晶表示部３１０に表示した状態で、カメラ１０２を、プリンタ１０１の無線給電システム１０３の上に置く。この時、無線給電システム１０３においてプリンタ１０１のWPC制御部７１５は、送電側の制御信号として"Signal"（Ｍ４０１）を微弱な電力で出力している。プリンタ１０１のWPC制御部７１５は、物体（カメラ１０２）を検出すると、WPC起動処理として、受電側からのメッセージ応答状態に遷移する（Ｓ５０１：YES）。また、カメラ１０２のWPC制御部７０５は、無線給電システム１０３における受電側制御を実施しており、送電側のプリンタ１０１から送出される"Signal"（Ｍ４０１）を監視している。
【００２６】
カメラ１０２のWPC制御部７０５が"Signal"（Ｍ４０１）を検出すると（Ｓ６０１：YES）、送電側のプリンタ１０１のWPC制御部７１５に対して"Signal Strength"（Ｍ４０２）を送信する（Ｓ６０２）。引き続き、カメラ１０２のWPC制御部７０５は、"Signal"（Ｍ４０１）を検出した状態を継続し（Ｓ６０３：YES）、送電側のプリンタ１０１のWPC制御部７１５に対して"Id&C"（Ｍ４０３）を送信する（Ｓ６０４）。この時、カメラ１０２のWPC制御部７０５は、"Signal"（Ｍ４０１）を所定期間中に検出しなかった場合（Ｓ６０３：NO）、"Signal"（Ｍ４０１）の検出状態に戻る（Ｓ６０１）。また、カメラ１０２のWPC制御部７０５は、送電側のプリンタ１０１のWPC制御部７１５に対して"Required Power（Ｍ４０５）"を送信する。WPC制御部７０５は、次に無線給電システム１０３によってプリンタ１０１からの電力供給を検出可能な時間を測るための検出タイマー（不図示）を起動する（Ｓ６０５）。
【００２７】
プリンタ１０１のWPC制御部７１５では、受電側であるカメラ１０２から受信したメッセージの種別を解析する（Ｓ５０２）。解析した結果、プリンタ１０１のWPC制御部７１５は、受信メッセージに"Id&C（Ｍ４０３）"が含まれていた場合（Ｓ５０３：YES）、受電側機器の識別情報を確認し充電履歴データとしてRAM２０４に格納する。プリンタ１０１のWPC制御部７１５は、カメラ１０２からのメッセージが確認できない場合もしくは受信したメッセージに"Id&C（Ｍ４０３）"が含まれていない場合（Ｓ５０３：NO）、WPC起動処理の検出状態に戻る（Ｓ５０１）。
【００２８】
プリンタ１０１のWPC制御部７１５は、次に"Required Power"（Ｍ４０５）を受信可能な時間を測るための受信タイマー（不図示）を起動する（Ｓ５０４）。受信タイマー起動中に、プリンタ１０１の制御部２０５は、RAM２０３に格納されている過去の充電履歴データにある受電側機器の識別情報と"Id&C（Ｍ４０３）"によって獲得したカメラ１０２の受電側機器の識別情報とを比較する。プリンタ１０１の制御部２０５は、比較の結果、過去に充電した最も新しい（直前の）履歴データにカメラ１０２が存在しない場合、カメラ１０２との間の無線LAN通信１０４で使用する通信パラメータ設定（WPS）機能を起動することを決定する。また、プリンタ１０１の制御部２０５は、履歴データから、カメラ１０２との間の無線LAN通信１０４で使用可能な設定済みの通信パラメータ情報が存在する場合、WPSを起動せず、即座に無線LAN通信１０４を開始することを決定する。その後、プリンタ１０１の制御部２０５は、WPSの起動するかしないか（WPS起動の有無）の情報を含んだ内部メッセージである"WPC Data"（Ｍ４０４）をAP制御部７１３に通知する（Ｓ５０５）。
【００２９】
プリンタ１０１のWPC制御部７１５は、受信タイマーの満了以前（Ｓ５０６：NO）に受電側のカメラ１０２のWPC制御部７０５から"Required Power"（Ｍ４０５）を受信すると（Ｓ５０７：YES）、無線給電の送電中状態に遷移する（Ｓ５０８）。一方、プリンタ１０１のWPC制御部７１５は、"Required Power（Ｍ４０５）"を受信する前に受信タイマーが満了した場合（Ｓ５０６：YES）、WPC起動処理の検出状態に戻る（Ｓ５０１）。また、プリンタ１０１では、無線LAN通信１０４の起動が使用禁止等により制限されている場合（Ｓ５０９：NO）、カメラ１０２との間で無線LAN通信１０４は起動せず、無線給電の送電中状態を維持する（Ｓ５０８）。
【００３０】
一方、カメラ１０２のWPC制御部７０５は、"Required Power"（Ｍ４０５）送信後、プリンタ１０１のWPC制御部７１５からの"Power"（Ｍ４０６）を検出できない場合（Ｓ６０７：NO）、検出タイマーの確認処理を継続する（Ｓ６０６）。また、カメラ１０２のWPC制御部７０５は、検出タイマーの満了以前（Ｓ６０６：NO）に送電側であるプリンタ１０１のWPC制御部７０５からの"Power"（Ｍ４０６）を検出すると（Ｓ６０７：YES）、制御部３０５を介して以下の処理を実施する。すなわち、カメラ１０２の制御部３０５は、内部メッセージである"WPC Connect"（Ｍ４０７）をSTA制御部７０３に通知し、STA制御部７０３は、無線LAN通信１０４のビーコン検出処理を起動する（Ｓ６０８）。またこの時、カメラ１０２のWPC制御部７０５は、無線給電の受電中状態に遷移する（Ｓ６０９）。なお、プリンタ１０１のWPC制御部７０５から出力される"Power"（Ｍ４０６）は、受電側のカメラ１０２から停止メッセージを受信するまで継続される。
【００３１】
次に、プリンタ１０１のAP制御部７１３は、制御部２０５から受信した"WPC Data"（Ｍ４０４）を解析してWPS起動の有無を確認し、WPSを起動すると判断した場合（Ｓ５１０：YES）、WPS処理を起動する。この時の主なWPS処理としては、AP制御部７１３から無線LAN通信１０４で使用する通信パラメータを決定するためにWPSを起動する旨の情報を含んだビーコン信号を生成することである（Ｓ５１１）。また、プリンタ１０１のAP制御部７１３は、WPSを起動しないと判断した場合（Ｓ５１０：NO）、無線LANの接続処理を起動する（Ｓ５１６）。この時の主な無線LANの接続処理としては、無線LAN通信１０４で使用するAP制御部７１３から報知されるビーコン信号に充電履歴データにある通信パラメータ情報を参照して生成することである。
【００３２】
プリンタ１０１のAP制御部７１３は、WPSまたは無線LAN接続で使用する所定のビーコン信号（Ｍ４０８）を無線LAN処理部７１１の制御のもと無線LAN通信部２０２を用いて報知する（Ｓ５１２）。さらにAP制御部７１３は、無線LAN通信を確立することが可能な時間を測るための通信確立タイマー（不図示）を起動する（Ｓ５１２）。次にAP制御部７１３は、無線LANの認証アソシエーション処理（Ｍ４０９）を起動して（Ｓ５１３）、WPSを起動する図４の例ではWPS処理（Ｍ４１０）を実施する。引き続き、AP制御部７１３は、カメラ１０２のSTA制御部７０３との間で無線LAN通信１０４の接続が完了しない場合（Ｓ５１５：NO）、通信確立タイマーの確認処理（Ｓ５１４）を継続する。この時、プリンタ１０１のAP制御部７１３は、通信確立タイマーが満了した場合（Ｓ５１４：YES）、無線給電の送電中状態を維持する（Ｓ５０８）。プリンタ１０１のAP制御部７１３は、通信確立タイマーの満了以前（Ｓ５１４：NO）にカメラ１０２のSTA制御部７０３との間で無線LAN通信１０４の接続が完了すると（Ｓ５１５：YES）、無線LANの通信中状態に遷移する。
【００３３】
プリンタ１０１のAP制御部７１３は、カメラ１０２との間で無線LAN通信が確立した旨、画像データの受信処理を行う上位の通信アプリ部７１４に通知する。次に、カメラ１０２のSTA制御部７０３は、新たな無線LAN通信１０４のビーコン情報よりWPSの起動が検出された場合（Ｓ６１０：YES）、WPS処理を起動する（Ｓ６１１）。また、カメラ１０２のSTA制御部７０３は、新たな無線LAN通信１０４のビーコン情報よりWPSの起動が検出されない場合（Ｓ６１０：NO）、周囲にあるAP装置のビーコンを検出する処理を起動する。カメラ１０２のSTA制御部７０３は、AP装置が検出された場合（Ｓ６１６：YES）、最も電界強度の高いAP装置に対して無線LANの接続処理を起動する（Ｓ６１７）。なお、最も電界強度の高いAP装置に限らず、STA制御部７０３は他の方法で接続するAP装置を選択するようにしてもよい。
【００３４】
次に、カメラ１０２のSTA制御部７０３は、無線LAN通信を確立することが可能な時間を測る通信確立タイマー（不図示）を起動する（Ｓ６１２）。また、STA制御部７０３は、無線LANの認証アソシエーション処理（Ｍ４０９）を起動して（Ｓ６１３）、WPS処理（Ｍ４１０）を実施する。引き続き、カメラ１０２のSTA制御部７０３は、プリンタ１０１のAP制御部７１３との間で無線LAN通信１０４の接続が完了しない場合（Ｓ６１５：NO）、通信確立タイマーの確認処理（Ｓ６１４）を継続する。また、カメラ１０２のSTA制御部７０３は、通信確立タイマーの満了以前（Ｓ６１４：NO）にプリンタ１０１のAP制御部７１３との間で無線LAN通信１０４の接続が完了すると（Ｓ６１５：YES）、無線LANの通信中状態に遷移する。この時、カメラ１０２のSTA制御部７０３は、通信確立タイマーが満了した場合（Ｓ６１４：YES）、無線給電の受電中状態を維持する（Ｓ６０９）。
【００３５】
次に、プリンタ１０１からカメラ１０２に対して送信される画像データの送信処理について説明する。カメラ１０２のSTA制御部７０３は、プリンタ１０１との間で無線LAN通信が確立した旨、通信アプリ部７０４に通知する。カメラ１０２の通信アプリ部７０４は、液晶表示部３１０に表示されている画像データ（Ｍ４１１）をTCP/IP処理部７０２と無線LAN処理部７０１を介して無線LAN通信部３０２よりプリンタ１０１の無線LAN通信部２０２に送信する。プリンタ１０１の通信アプリ部７１４は、無線LAN通信部２０２で受信した画像データ（Ｍ４１１）を無線LAN処理部７１１とTCP/IP処理部７１２を介して受信した後、印刷処理部２０６に画像データを転送する。
【００３６】
引き続き、プリンタ１０１とカメラ１０２における無線LAN通信１０４の切断後の動作について説明する。カメラ１０２の通信アプリ部７０４は、画像データの転送が終了すると、更に送信する画像データが存在しなければ、プリンタ１０１との間の無線LAN通信１０４を切断するために切断処理（Ｍ４１２）を起動する。プリンタ１０１は、カメラ１０２からの切断処理（Ｍ４１２）が実行されると、自身もカメラ１０２との間の無線LAN通信１０４のコネクションを解放する。カメラ１０２のSTA制御部７０３とプリンタ１０１のAP制御部７１３は、それぞれが無線LAN通信１０４を確立する以前のネットワークに復帰する。この時プリンタ１０１のAP制御部は、無線LAN通信のSTA制御部として動作することにより、例えばホームネットワークにあるアクセスポイント装置のクライアント機器として動作するように構成されても良い。
【００３７】
以上、本実施形態によれば、無線給電システムの制御処理を利用して受電側機器と送電側機器との間で、無線LAN通信のための設定が行われ、また送電側機器によってWPS設定処理が起動される。これにより、ユーザーの操作無しに自動的に無線LAN通信を確立できるという効果がある。
【００３８】
［第２実施形態］
第１実施形態では、送電側のプリンタ１０１によってWPSの設定処理が起動されたが、本実施形態では、受電側のカメラ１０２によってWPSの設定処理が起動される。従って、本実施形態は第１実施形態と一部、共通の部分を含むものであり、第１実施形態と異なる制御手順について、図８乃至図１０を参照して説明する。
【００３９】
図８は、本実施形態によるプリンタ１０１とカメラ１０２のメッセージの送受信処理を説明したシーケンスチャートである。なお、図８において、"Control Data"（Ｍ８０２）は、受電側から送電側に対して要求する制御処理に関するメッセージである。本実施形態において、WPS処理の起動は、カメラ１０２の制御部３０５が、内部メッセージである"WPC Connect"（Ｍ４０７）をSTA制御部７０３に通知することから開始されるため、メッセージＭ４０７以降の処理について説明する。
【００４０】
図９は、本実施形態によるプリンタ１０１の処理を示すフローチャートであり、図１０は、本実施形態によるカメラ１０２の処理を示すフローチャートである。プリンタ１０１、カメラ１０２のそれぞれは、無線給電状態（図５のＳ５０８、図６のＳ６０９）において、以下の処理を実施する。
【００４１】
図１０において、カメラ１０２のSTA制御部７０３は、予めWPSを起動するように設定されていた場合（Ｓ１００１：YES）、WPC制御部７０５に対してWPSの起動を要請する旨の内部メッセージである"WPS Start"（Ｍ８０１）を送信する（Ｓ１００２）。カメラ１０２のWPC制御部７０５は、内部メッセージである"WPS Start"（Ｍ８０１）を無線給電システム１０３の制御データ"Control Data"（Ｍ８０２）に変換してプリンタ１０１のWPC制御部７１５に送信する（Ｓ１００２）。"Control Data"（Ｍ８０２）の種別および内容は、Ｍ４０２、Ｍ４０３、Ｍ４０５と同様にWPCデータのデータフレームフォーマット２００１にあるMessage領域（２００２）に記述され、送電側のプリンタ１０１に送信される単方向通信メッセージである。以降、カメラ１０２のSTA制御部７０３は、第１実施形態と同様に、WPSの起動を要請するビーコン信号の検出状態（Ｓ６１０）に遷移する。Ｓ６１０以降の処理は第１実施形態で説明した図６と同様のため、説明を省略する。
【００４２】
一方、図９において、プリンタ１０１のWPC制御部７１５は"Control Data"（Ｍ８０２）を受信した場合（Ｓ９０１：YES）、受信メッセージを解析し（Ｓ９０２）、内部メッセージである"WPC Data"（Ｍ８０３）に変換する。プリンタ１０１のWPC制御部７１５は、WPSの起動か通常の無線LAN通信を開始を要請する旨の内部メッセージである"WPC Data"（Ｍ８０３）をAP制御部７１３に送信する。AP制御部７１３は、WPSを起動するか通常の無線LAN通信を開始するかを決定する（Ｓ９０３）。Ｓ５０９以降の処理は第１実施形態で説明した図５と同様のため、説明を省略する。
【００４３】
以上、本実施形態によれば、無線給電システムの制御処理を利用して受電側機器と送電側機器との間で、無線LAN通信のための設定が行われ、また受電側機器によってWPS設定処理が起動される。これにより、ユーザーの操作無しに自動的に無線LAN通信を確立できるという効果がある。
【００４４】
［第３実施形態］
第１乃至第２実施形態では、送電側のプリンタ１０１が受電側のカメラ１０２の機器識別情報を判定してWPCの設定処理を起動したが、本実施形態では、カメラ１０２においてプリンタ１０１の機器識別情報を判定する。従って、本実施形態は第１実施形態と一部、共通の部分を含むものであり、第１乃至第２実施形態と異なる制御手順について、図１１乃至図１３と図２１を参照して説明する。
【００４５】
図１１は本実施形態によるプリンタ１０１とカメラ１０２のメッセージの送受信処理を説明したシーケンスチャートである。本実施形態において、WPS処理の起動は、プリンタ１０１の制御部３０５が、内部メッセージである"WPC Data"（Ｍ４０４）をAP制御部７１３に通知することから開始されため、メッセージＭ４０４以降の処理について説明する。
【００４６】
図１２は、本実施形態によるプリンタ１０１の処理を示すフローチャートであり、図１３は、本実施形態によるカメラ１０２の処理を示すフローチャートである。プリンタ１０１、カメラ１０２のそれぞれは、無線給電状態（図５のＳ５０８、図６のＳ６０９）において、以下の処理を実施する。図１２において、プリンタ１０１のAP制御部７１３は、"WPC Data"（Ｍ４０４）を受信すると、WPSまたは無線LAN接続の指示内容に関わらず、無条件に無線LAN通信１０４の起動制限を確認する。プリンタ１０１のAP制御部７１３は、無線LAN通信１０４の起動制限が無い場合（Ｓ５０９：YES）、例えば直前に起動した無線LANで使用したビーコン信号（Ｍ１１０１）を報知する（Ｓ１２０１）。Ｓ９０１以降の処理は第２実施形態で説明した図９と同様のため、説明を省略する。
【００４７】
一方、図１３において、カメラ１０２の制御部３０５は、内部メッセージである"WPC Connect"（Ｍ４０７）をSTA制御部７０３に通知する。STA制御部７０３は、無線LAN通信１０４においてビーコン信号（Ｍ１１０１）を検出すると（Ｓ１３０１：YES）、ビーコン信号に含まれる識別情報のSSID（２１１２）を解析し、過去に接続した履歴データと比較する（Ｓ１３０２）。STA制御部７０３は、比較した結果、プリンタ１０１のAP制御部７１３との間で以前接続した無線LAN通信で使用可能な通信パラメータ情報が存在する場合（Ｓ１３０３：YES）、無線LANの接続処理を実施する（Ｓ６１６）。
【００４８】
一方、カメラ１０２のSTA制御部７０３は、比較した結果、プリンタ１０１のAP制御部７１３との間で以前接続した無線LAN通信で使用可能な通信パラメータ情報が存在しない場合（Ｓ１３０３：NO）、以下のようにWPSを起動する処理を実施する。STA制御部７０３は、WPC制御部７０５に対してWPSの起動を要請する旨の内部メッセージである"WPS Start"（Ｍ８０１）を送信する（Ｓ１３０４）。引き続き、カメラ１０２のSTA制御部７０３は、プリンタのAP制御部７１３から報知されるビーコン信号の検出状態（Ｓ６１０）に遷移する。Ｓ６１６及びＳ６１０以降の処理は第１実施形態で説明した図６と同様のため、説明を省略する。
【００４９】
以上、本実施形態によれば、無線給電システムの制御処理を利用して受電側機器と送電側機器との間で、無線LAN通信のための設定が行われ、また受電側機器によって無線LAN通信のための機器識別情報が判定される。これにより、ユーザーの操作無しに自動的に無線LAN通信を確立できるという効果がある。
【００５０】
［第４実施形態］
本実施形態では、第１乃至第３実施形態のプリンタ１０１が、送電先であるカメラ１０２が、無線LAN通信１０４によって接続されている対向の通信装置であるか否かを判断する。すなわち、無線給電システムの制御処理においてプリンタ１０１はカメラ１０２の識別情報を確認し、再度、無線LAN通信による通信中においてもプリンタ１０１は同様の処理を行う。従って、本実施形態は第１乃至第３実施形態と一部、共通の部分を含むものであり、第１乃至第３実施形態と異なる制御手順について、図１４乃至図１６を参照して説明する。
【００５１】
図１４は本実施形態によるプリンタ１０１とカメラ１０２のメッセージの送受信処理を説明したシーケンスチャートである。なお、図１４において、"ID 比較処理"（Ｍ１４０１）は、無線LAN通信１０４を利用して、カメラ１０２の制御部３０５はプリンタ１０１の制御部２０５に対してWPC制御で使用した機器の識別情報を送信し、制御部２０５はその識別情報の妥当性を判断するものである。以下、メッセージＭ１４０１の処理について説明する。
【００５２】
図１５は、本実施形態によるプリンタ１０１の処理を示すフローチャートであり、図１６は、本実施形態によるカメラ１０２の処理を示すフローチャートである。プリンタ１０１、カメラ１０２のそれぞれは、無線LAN通信１０４において通信中状態であり、以下の処理を実施する。
【００５３】
図１６において、カメラ１０２の制御部３０５は、無線給電システム１０３の制御処理で送信する、“受電側機器の識別情報”を含む"Id&C"（Ｍ４０３）を無線LAN通信１０４でプリンタ１０１に送信する。そして、プリンタ１０１において、送信された識別情報の妥当性が未確認の場合、制御部３０５は以下の処理を実施する。すなわち、制御部３０５は、プリンタ１０１からカメラ１０２の機器識別情報を確認した旨の通知がない場合（Ｓ１６０１：NO）、RAM３０４に格納されている“受電側機器の識別情報”を読み出す。次に、カメラ１０２の制御部３０５は、無線LAN通信１０４の送信データに、RAM３０４から読み出した“受電側機器の識別情報”を含めて、無線LANデータとしてプリンタ１０１に送信する（Ｓ１６０２）。さらにカメラ１０２の制御部３０５は、応答メッセージを受信可能な時間を測るための受信タイマー（不図示）を起動する（Ｓ１６０３）。この時、カメラ１０２の制御部３０５は、受信タイマーが満了した場合（Ｓ１６０４：YES）、無線LAN通信中状態を維持する。カメラ１０２の制御部３０５は、受信タイマーの満了以前（Ｓ１６０４：NO）にプリンタ１０１から無線LAN通信１０４でデータを受信すると（Ｓ１６０５：YES）、その受信データを解析する。
【００５４】
カメラ１０２の制御部３０５は、受信データが切断処理の起動を示すものではなく、例えばプリンタ１０１が有する識別情報が一致したことを示すものであった場合（１６０６：NO）、受信データの処理を実施する（Ｓ１６０９）。この時、カメラ１０２の制御部３０５は、ID比較処理（Ｍ１４０１）は完了し、以降のデータ処理では、確認済み（Ｓ１６０１：YES）となり、無線LANの通信中状態を維持する。一方、カメラ１０２の制御部３０５は、プリンタ１０１から受信したデータが切断処理の起動を示すものであった場合（Ｓ１６０６：YES）、プリンタ１０１との間の無線LAN通信１０４を切断するために切断処理を起動する（Ｓ１６０７）。そして、カメラ１０２のSTA制御部７０３とプリンタ１０１のAP制御部は、それぞれが無線LAN通信１０４を確立する以前のネットワークに復帰する（Ｓ１６０８）。引き続き、カメラ１０２の制御部３０５は、無線給電の受電中状態を継続する（Ｓ６０９）。
【００５５】
図１５において、プリンタ１０１の制御部２０５は、無線LAN通信１０４の通信中状態でデータを受信すると（Ｓ１５０１：YES）、以下の処理を実施する。プリンタ１０１の制御部２０５は、無線LAN通信１０４の通信相手が“受電側機器の識別情報”を用いて現在送電先の通信相手であることが既に確認済み場合（Ｓ１５０２：YES）、受信データに対して通常のデータ処理を実施する（Ｓ１５０７）。また、制御部２０５は未確認の場合（Ｓ１５０２：NO）、受信した“受電側機器の識別情報”と"Id&C"（Ｍ４０３）によって獲得し、RAM２０３の領域に格納したカメラ１０２の“受電側機器の識別情報”とを比較する。
【００５６】
プリンタ１０１の制御部２０５は、比較の結果、識別情報が一致した場合（Ｓ１５０５：YES）、カメラ１０２に対して、一致した旨の情報を含む無線LANデータを生成後、送信する（Ｓ１５０８）。これにより、ID比較処理（Ｍ１４０１）は完了する。具体的には、プリンタ１０１の制御部２０５は、以降のデータ処理では、“受電側機器の識別情報”比較確認済み（Ｓ１５０２：YES）となり、通常の無線LAN通信処理（Ｓ１５０７）を実施して、無線LANの通信中状態を維持する。また、プリンタ１０１の制御部２０５は、比較の結果、識別情報が一致しない場合（Ｓ１５０５：YES）、プリンタ１０１との間の無線LAN通信１０４を切断するために切断処理（Ｓ１５０６）を起動する。プリンタ１０１は、自身もカメラ１０２との間の無線LAN通信１０４のコネクションを解放後、以前のネットワークに復帰し（Ｓ１５０７）無線給電の送電中状態（Ｓ５０８）を継続する。
【００５７】
このように、本実施形態では、ID比較処理（Ｍ１４０１）を実施する。これにより、第１乃至第３実施形態において述べた効果に加え、無線給電システムを起動中の送電側機器と受電側機器との間で確立する無線LAN通信の妥当性が容易に判断できるという効果がある。
【００５８】
［第５実施形態］
第１乃至第４実施形態では、無線給電システム１０３における制御処理の後、プリンタ１０１、カメラ１０２のそれぞれが、無線給電状態（図５のＳ５０８、図６のＳ６０９）において、無線LAN通信１０４の起動処理を、即座に実施していた。しかしながら、無線給電システム１０３による充電処理の完了後、プリンタ１０１のWPC制御部７１５によりWPS処理等の無線LAN接続処理を起動するように構成してもよい。本実施形態では、送電側のプリンタ１０１によって起動されたWPSの設定処理が、無線給電システム１０３による充電処理の完了後にプリンタ１０１のWPC制御部７１５により起動される。従って、本実施形態は第１実施形態と一部、共通の部分を含むものであり、第１実施形態と異なる制御手順について、図１７、１８を参照して説明する。
【００５９】
図１７は本実施形態によるプリンタ１０１とカメラ１０２のメッセージの送受信処理を説明したシーケンスチャートである。なお、図１７において、"End Power"（Ｍ１７０１）は、送電の停止を要求するメッセージである。図１７において、本実施形態におけるWPS処理の起動は、カメラ１０２のWPC制御部７０５が、"End Power"（Ｍ１７０１）をプリンタ１０１のWPC制御部７１５に送信する事から開始されるため、メッセージＭ１７０１以降の処理について説明する。
【００６０】
図１８は、本実施形態によるプリンタ１０１の処理を示すフローチャートである。図１８において、プリンタ１０１のWPC制御部７１５が、"End Power"（Ｍ１７０１）を受信すると（Ｓ１８０１：YES）、内部メッセージである"WPC Disc"（Ｍ１７０２）をAP制御部７１３に通知する。プリンタ１０１のAP制御部７１３は、"WPC Disc"（Ｍ１７０２）を受信すると、無線LAN通信１０４の起動制限が有る場合（Ｓ５０９：NO）、処理を終了する。また、第１実施形態と同様に無線LAN通信１０４の起動制限が無い場合（Ｓ５０９：YES）、WPSの起動に関する処理を実施する。Ｓ５０９以降の処理は１実施形態で説明した図５と同様のため、説明を省略する。但し、本実施形態では、（Ｓ５１２で起動した）無線LAN通信の通信確立タイマーが満了した場合（Ｓ５１４：YES）の場合にも処理は終了する。
【００６１】
以上、第５実施形態によれば、無線給電システムの充電完了後に無線LAN通信１０４で使用する通信パラメータ情報を設定する事が可能となる。これにより、第１実施形態において述べた効果に加え、より確実にユーザーの操作無しに自動的に無線LAN通信を確立できるという効果がある。なお、本実施形態においても、第４実施形態において述べた処理を行い、無線LAN通信の妥当性を判断してもよい。
【００６２】
［変形例１］
第１実施形態では、ユーザーが、印刷を希望する画像データを液晶表示部３１０に表示した状態で、プリンタ１０１の無線給電システム１０３の上に置くことにより、通信アプリ７０４が画像データをプリンタ１０１に送信していた。この変形例として、予め転送予約がなされた画像データまたは印刷が完了していない画像データを、ユーザーの操作無しに、カメラ１０２の通信アプリ７０４が選択して、プリンタ１０１に送信するように構成してもよい。
【００６３】
［変形例２］
第５実施形態では、無線給電システム１０３による充電処理の完了後、プリンタ１０１のWPC制御部７１５によりWPS処理等の無線LAN接続処理が起動されていた。この変形例として、無線給電システム１０３による充電処理の完了後、カメラ１０２のWPC制御部７０５によりWPS処理等の無線LAN接続処理を起動するように構成してもよい。本変形例は、第５実施形態において送電側のプリンタ１０１によって起動されたWPCの設定処理が、第２実施形態のようにプリンタ１０１では無く受電側のカメラ１０２によって起動されるというものである。従って、本実施形態は第２及び第５実施形態と一部、共通の部分を含むものであり、第２及び第５実施形態と異なる制御手順について、図１７、図１９を参照して説明する。
【００６４】
図１９は、本実施形態によるカメラ１０２の処理を示すフローチャートである。また、図１７において、本実施形態におけるWPS処理の起動は、第５実施形態と同様であるため、充電完了後のメッセージＭ１７０１以降の処理について説明する。図１９において、カメラ１０２のWPC制御部７０５が、充電が完了すると（Ｓ１９０１：YES）、"End Power"（Ｍ１７０１）”を送信し、内部メッセージである"WPC Disc"（Ｍ１７０３）をSTA制御部７０３に通知する。カメラ１０２のSTA制御部７０３は、"WPC Disc"（Ｍ１７０３）を受信すると、無線LAN通信１０４の起動制限が有る場合（Ｓ１９０２：NO）、処理を終了する。
【００６５】
また、第２実施形態と同様に無線LAN通信１０４の起動制限が無い場合（Ｓ１９０２：YES）、WPSの起動に関する処理（Ｓ１００２）を実施する。Ｓ１００２以降の処理は図１で説明した図６と同様のため、説明を省略する。但し、本実施形態では、（Ｓ６１２で起動した）無線LAN通信の確立タイマーが満了した場合（Ｓ６１４：YES）の場合にも処理は終了する。
【００６６】
［変形例３］
第１乃至第４実施形態では、無線給電システム１０３における制御処理の後、プリンタ１０１、カメラ１０２のそれぞれが、無線給電状態（図５のＳ５０８、図６のＳ６０９）において、無線LAN通信１０４の起動処理を、即座に実施していた。この変形例として、無線給電システム１０３による充電処理の実施後、カメラ１０２のバッテリーの充電容量で無線LAN通信１０４が安定的に動作可能と判断された時点でWPS処理等の無線LAN接続処理を起動するように構成してもよい。
【００６７】
［変形例４］
第３実施形態では、カメラ１０２のSTA制御部７０３が、無線LAN通信１０４のビーコン信号（Ｍ１１０１）に含まれる識別情報のSSID（２１１２）を解析し、過去に接続した履歴データと比較していた。しかしながら、図２１に示すプローブ要求フレーム（２１０４）をプリンタ１０１に送信した後に返信されるプローブ応答フレーム（２１０３）内に含まれる識別情報のSSID（２１１６）を解析し、過去に接続した履歴データと比較するように構成してもよい。
【００６８】
［その他の実施形態］
また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００６９】
このように、本発明によれば、設定機能を起動する手段(OOBやPB等)が無くても、既存のワイヤレス給電の制御処理を利用することでワイヤレス給電の充電開始時に必要に応じて自動的に通信パラメータの簡単設定機能を双方で起動する事が可能となる。これにより、ユーザーの煩雑な操作が回避される。また、無線パラメータ設定用にNFC等の新たなハードウェアが不要となり、製品のコストアップが回避されるといった様々な効果がある
【００７０】
なお、以上に述べた実施形態では、無線給電機能の制御処理に用いられる所定のメッセージの検出を契機に、無線通信機能を起動する通信装置について説明を行った。なお、無線通信機能の起動とは、上記実施形態において、WPSのシーケンスを開始することであったが、例えば無線通信部への電源供給を開始するようにしてもよい。また、無線通信機能の起動は、無線通信機能の消費電力がアクティブモードと比べて低いスリープモードからアクティブモードへの遷移であってよい。また、無線通信機能の起動は、ビーコン等の定期的に所定のメッセージの送信を開始する処理であってよい。
【図１】
2015008607.tif 000003
【図２】
2015008607.tif 000004
【図３】
2015008607.tif 000005
【図４】
2015008607.tif 000006
【図５】
2015008607.tif 000007
【図６】
2015008607.tif 000008
【図７】
2015008607.tif 000009
【図８】
2015008607.tif 000010
【図９】
2015008607.tif 000011
【図１０】
2015008607.tif 000012
【図１１】
2015008607.tif 000013
【図１２】
2015008607.tif 000014
【図１３】
2015008607.tif 000015
【図１４】
2015008607.tif 000016
【図１５】
2015008607.tif 000017
【図１６】
2015008607.tif 000018
【図１７】
2015008607.tif 000019
【図１８】
2015008607.tif 000020
【図１９】
2015008607.tif 000021
【図２０】
2015008607.tif 000022
【図２１】
2015008607.tif 000023